(57)【要約】【課題】ライトシェルフ上面への入射自然光に対する室内奥などへの広拡散放光化を図る。【解決手段】自然光を側窓２から屋内に導入するライトシェルフ５の上面部分に左右傾斜面６ａ，６ｂからなる三角錐二側面タイプの傾き反射平面６を複数設ける。これら複数の左右傾斜面６ａ，６ｂそれぞれのライトシェルフ上面に対する立ち上がり角度は異なっている。屋内光反射板１０は、室外のライトシェルフ５のからの自然反射光を屋内に拡散させる。この傾き反射平面６と同様に、長方形屋根タイプの傾き反射平面，円錐一部周面タイプの傾き反射曲面や反射平板のそれぞれを、異なる立ち上がり角度でライトシェルフ上面に複数設ける場合や、傾き反射平面６などを設けたライトシェルフ５を屋内のみに設ける場合も開示している。【選択図】図７
2013038013.tif 000002
【特許請求の範囲】
【請求項１】
側窓の幅方向部分に対応した基部の上面に、当該上面への入射自然光を当該側窓から続く屋内空間に導くための光反射部が設けられたライトシェルフにおいて、
前記光反射部は、
前記上面から、異なる角度で、前記基部の長手方向の端部の方に立ち上がる複数の反射法面を有し、
前記複数の反射法面へ入射する自然光が当該反射法面で別々の角度方向に反射される、
ことを特徴とするライトシェルフ。
【請求項２】
前記反射法面は、
前記基部の長手方向の第一の端部の方に立ち上がる第一の反射法面要素と、当該長手方向における当該第一の端部とは反対側の第二の端部の方に立ち上がる第二の反射法面要素と、を有している、
ことを特徴とする請求項１記載のライトシェルフ。
【請求項３】
前記反射法面は、
前記第一の反射法面要素およびこれに続く前記第二の反射法面をそれぞれ前記長手方向に備え、かつ、その全体が前記基部の内外方向に延びる態様で形成された傾き反射面からなる、
ことを特徴とする請求項２記載のライトシェルフ。
【請求項４】
前記傾き反射面は、
前記基部の上面の外側から内側への下り傾斜面でもある、
ことを特徴とする請求項３記載のライトシェルフ。
【請求項５】
前記光反射部は、
前記傾き反射面を基本単位とし、
当該基本単位それぞれの前記長手方向の最大長が同じで、最大高さが異なっている、
ことを特徴とする請求項３または４記載のライトシェルフ。
【請求項６】
前記光反射部は、
前記傾き反射面を基本単位とし、
当該基本単位それぞれの最大高さが同じで、前記長手方向の最大長が異なっている、
ことを特徴とする請求項３または４記載のライトシェルフ。
【請求項７】
前記反射法面は、
前記長手方向に順次設けられた複数の平板状面部分である、
ことを特徴とする請求項１または２記載のライトシェルフ。
【請求項８】
請求項１乃至７のいずれか１項に記載のライトシェルフと、
前記ライトシェルフの前記反射法面からの自然反射光を屋内空間に広げるために設けられた屋内光反射部と、を備えている、
ことを特徴とするライトシェルフを用いた自然光屋内導入構造
【請求項９】
請求項１乃至７のいずれか１項に記載のライトシェルフが、
前記側窓の内側の屋内空間域に設けられている、
ことを特徴とするライトシェルフを用いた自然光屋内導入構造
【発明の詳細な説明】
【技術分野】
【０００１】
本発明は、建物側窓の外側，内側に取り付けられるライトシェルフおよび当該ライトシェルフを用いた屋内への自然光導入構造に関する。
【０００２】
特に、ライトシェルフ上面の光反射部を、ライトシェルフ基部に対する傾斜状態が異なる複数の反射法面により形成して、ライトシェルフ上面で反射する自然光の上下，左右，奥方向などの各反射範囲を広げることにより、できるだけ均斉化された柔らかな拡散光を屋内側に導き、かつ、奥深くまで到達させるためのライトシェルフおよび自然光導入構造に関する。
【０００３】
本明細書においては、必要に応じて、ライトシェルフ長手方向を「縦」，「左右」と記し、またライトシェルフ幅方向を必要に応じて「横」，「内外」と記す。
【０００４】
また、後述の傾き反射平面（図３，図４など参照），傾き反射曲面（図５参照）および反射平板（図６参照）の各光反射部要素を包括する語として、「反射法面」を用いる。
【背景技術】
【０００５】
従来、建物側窓にその上部分と下部分とを分ける形でライトシェルフを設けて、ライトシェルフ上面で反射した自然光が当該上部分から屋内に取り込まれるようにすることが広くおこなわれている（例えば後述の特許文献１参照）。
【０００６】
これらのライトシェルフ上面は光反射性状を備えた略平坦形状にすぎない。すなわち、屋内への反射自然光のいわば拡散範囲を広げるため、ライトシェルフ上面の反射部形状についての特段の工夫を施したものではない。
【先行技術文献】
【特許文献】
【０００７】
【特許文献１】特開２０００−２２８１０７号公報
【発明の開示】
【発明が解決しようとする課題】
【０００８】
本発明は少なくとも、ライトシェルフ基部上面の反射部形状として、傾斜角度の異なる複数反射法面といった特徴を持たせることにより、当該基部上面で反射して屋内へ入射する自然光ができるだけ均斉化された柔らかな拡散光に設定されて、かつ、奥深くまで到達することを志向している。
【０００９】
ここで、ライトシェルフ基部上面の反射部形状に関しては、
(11)この基部上面からライトシェルフ長手方向の端部の方に異なる傾斜で立ち上がる複数の反射法面を設けた反射部形状、
(12)さらには、この反射法面として、ライトシェルフ長手方向の一方の端部の方に傾斜する第一反射面および、これとは反対側の他方の端部の方に傾斜する第二反射面を設けた反射部形状，
(13)さらには、この反射法面をライトシェルフ基部の内外方向に設けた反射部形状、
(14)さらには、この内外方向の反射法面を、その外側部分から内側部分への下り傾斜の態様で設けた反射部形状、
などからなっている。
【００１０】
また、上記(11)〜(14)の反射部形状からなるライトシェルフを用いた自然光屋内導入構造に関しては、
(21)ライトシェルフを側窓の屋外部分に設置しただけの自然光屋内導入構造，
(22)ライトシェルフを側窓の屋外部分に設置し、かつ、屋外からの入射自然光（反射自然光，直射自然光）に対する反射，遮蔽用の光反射部を側窓の屋内部分に設置した自然光屋内導入構造，
(23)ライトシェルフを側窓の屋内部分に設置しただけの自然光屋内導入構造，
などからなっている。
【００１１】
本発明は、このようなライトシェルフ基部上面の反射部形状および、ライトシェルフからなる自然光屋内導入構造を用いることにより、
(31)屋内入射自然光の拡散範囲を広げる、
(32)屋内入射自然光を奥深くまで到達させる、
(33)朝陽や夕陽などのように側窓への入射方向が異なる自然光全体についての屋内広拡散化を実現する、
などを目的とする。
【課題を解決するための手段】
【００１２】
本発明は、以上の課題を次のようにして解決する。
（１）側窓（例えば後述の側窓２）の幅方向部分に対応した基部（例えば後述の板状基部５ａ）の上面に、当該上面への入射自然光を当該側窓から続く屋内空間に導くための光反射部が設けられたライトシェルフにおいて、
前記光反射部は、
前記上面から、異なる角度で、前記基部の長手方向の端部（例えば後述の端部５ｄ，５ｅ）の方に立ち上がる複数の反射法面（例えば後述の傾き反射平面６，７，傾き反射曲面８，反射平板９）を有し、
前記複数の反射法面へ入射する自然光が当該反射法面で別々の角度方向に反射される、
ものを用いる。
（２）上記（１）において、
前記反射法面は、
前記基部の長手方向の第一の端部（例えば後述の端部５ｄ）の方に立ち上がる第一の反射法面要素（例えば後述の左三角形面６ａ，左長方形面７ａ，左円錐一部周面８ａ，右傾き平面部９ａ）と、当該長手方向における当該第一の端部とは反対側の第二の端部（例えば後述の端部５ｅ）の方に立ち上がる第二の反射法面要素（例えば後述の右三角形面６ｂ，右長方形面７ｂ，右円錐一部周面８ｂ，左傾き平面部９ｂ）と、を有している、
ものを用いる。
（３）上記（２）において、
前記反射法面は、
前記第一の反射法面要素およびこれに続く前記第二の反射法面をそれぞれ前記長手方向に備え、かつ、その全体が前記基部の内外方向に延びる態様で形成された傾き反射面（例えば後述の傾き反射平面６，７，傾き反射曲面８）からなる、
ものを用いる。
（４）上記（３）において、
前記傾き反射面は、
前記基部の上面の外側から内側への下り傾斜面（例えば後述の傾き反射平面６，傾き反射曲面８）でもある、
ものを用いる。
（５）上記（３），（４）において、
前記光反射部は、
前記傾き反射面を基本単位とし、
当該基本単位それぞれの前記長手方向の最大長（例えば後述の最大長Ｌ１０，Ｌ３０）が同じで、最大高さ（例えば後述の最大高さＨ１１〜Ｈ１３，Ｈ３１〜Ｈ３４）が異なっている、
ものを用いる。
（６）上記（３），（４）において、
前記光反射部は、
前記傾き反射面を基本単位とし、
当該基本単位それぞれの最大高さ（例えば後述の最大高さＨ２０）が同じで、前記長手方向の最大長（例えば後述の最大長Ｌ２１〜Ｌ２３）が異なっている、
ものを用いる。
（７）上記（１），（２）において、
前記反射法面は、
前記長手方向に順次設けられた複数の平板状面部分（例えば後述の反射平板９）である、
ものを用いる。
（８）上記１乃至７のいずれかに記載のライトシェルフと、
前記ライトシェルフの前記反射法面からの自然反射光を屋内空間に広げるために設けられた屋内光反射部（例えば後述の屋内光反射板１０，屋内ミラー格子１１）と、
を備えた自然光屋内導入構造を用いる。
（９）上記１乃至７のいずれかに記載のライトシェルフが、
前記側窓の内側の屋内空間域に設けられた、
自然光屋内導入構造を用いる。
【００１３】
本発明は、以上の構成からなるライトシェルフおよび当該ライトシェルフを用いた自然光屋内導入構造を対象としている。
【発明の効果】
【００１４】
本発明は以上の課題解決手段により、
(41)屋内入射自然光の拡散範囲を広げる、
(42)屋内入射自然光を奥深くまで到達させる、
(43)朝陽や夕陽などのように側窓への入射方向が異なる自然光全体についての屋内広拡散化を実現する、
ことができる。
【図面の簡単な説明】
【００１５】
【図１】三角錐二側面タイプの傾き反射平面からなるライトシェルフを側壁の屋外部分に略水平状態で取り付け、屋内光反射板を用いない場合の自然光屋内導入構造を示す説明図である。
【図２】図１の自然光屋内導入構造の断面状態を示す説明図である。
【図３】三角錐二側面タイプの複数の傾き反射平面からなるライトシェルフを示す説明図である。
【図４】長方形屋根タイプの複数の傾き反射平面からなるライトシェルフを示す説明図である。
【図５】円錐一部周面タイプの複数の傾き反射曲面からなるライトシェルフを示す説明図である。
【図６】複数の反射平板からなるライトシェルフを示す説明図である。
【図７】図３の三角錐二側面タイプの傾き反射平面からなるライトシェルフを傾斜状態で屋外部分に取り付け、かつ、屋内光反射板（その１）を用いる場合の自然光屋内導入構造を示す説明図である。
【図８】図７の自然光屋内導入構造の断面状態を示す説明図である。
【図９】図３の三角錐二側面タイプの傾き反射平面からなるライトシェルフを傾斜状態で屋外部分に取り付け、かつ、屋内光反射板（その２，その３）を用いる場合の自然光屋内導入構造の断面状態を示す説明図である。
【図１０】図３の三角錐二側面タイプの傾き反射平面からなるライトシェルフを傾斜状態で屋外部分に取り付け、かつ、屋内光反射板（その４）を用いる場合の自然光屋内導入構造の断面状態などを示す説明図である。
【図１１】図７〜図１０の屋内光反射部に代えて側窓上部分２ａの全体にミラー格子１１を取り付けた自然光屋内導入構造を示している。
【図１２】図３の三角錐二側面タイプの傾き反射平面からなる一段のライトシェルフを屋内部分に傾斜状態で取り付けた場合の自然光屋内導入構造を示している。
【図１３】図１２の自然光屋内導入構造の断面状態を示す説明図である。
【図１４】図３の三角錐二側面タイプの傾き反射平面からなる三段のライトシェルフを屋内部分に略水平状態で取り付けた場合の自然光屋内導入構造を示している。
【図１５】図１４の自然光屋内導入構造の断面状態を示す説明図である。
【発明を実施するための形態】
【００１６】
図１〜図１５により本発明の実施形態を説明する。
【００１７】
図１〜図１５において、
１は建屋の側壁，
２は側壁部分に設けられた側窓，
２ａは当該側窓における後述の屋外のライトシェルフ５より上方の側窓上部分，
３は屋内の天井部分，
４は屋内の床部分，
をそれぞれ示している。
【００１８】
また、
５は側窓２の幅方向両側の側壁屋外部分または側壁屋内部分に取り付けられたライトシェルフ（図１〜図１３参照）
５'は側窓２の幅方向両側の側壁屋内部分に取り付けられたライトシェルフ（図１４，図１５参照）
５ａは長方形横断面からなる板状基部，
５ｂは板状基部５ａの上面長手方向の内辺（屋外設置時の側窓２に近い方、また屋内設置時の側窓２から遠い方の各長手方向の辺），
５ｃは板状基部５ａの上面長手方向の外辺（内辺５ｂと対向反対側の長手方向の辺），
５ｄは板状基部５ａの一方の端部（図１などにおいて内辺５ｂおよび外辺５ｃと直交する右端部），
５ｅは板状基部５ａの他方の端部（図１などにおいて内辺５ｂおよび外辺５ｃと直交する左端部），
をそれぞれ示している。
【００１９】
また、
６はライトシェルフ長手方向の縦断面が逆Ｖ字状の略二等辺三角形であって、その形状が板状基部５ａの内辺５ｂのいわば点部分から外辺５ｃに向かって順次大きくなる三角錐二側面タイプの傾き反射平面（反射法面）〔板状基部５ａの上面に形成された光反射部（その１）の基本単位：図１〜図３，図７〜図１５参照〕，
６ａは傾き反射平面６の構成要素であって、板状基部５ａの上面から一方の端部５ｄの方に立ち上がった形の左三角形面，
６ｂは傾き反射平面６の構成要素であって、板状基部５ａの上面から他方の端部５ｅの方に立ち上がった形の右三角形面，
６ｃは左三角形面６ａおよび右三角形面６ｂに共通する傾斜稜線，
６ｄは板状基部５ａの内辺５ｂと傾き反射平面６（傾斜稜線６ｃ）とのいわば交点に相当する、当該傾き反射平面の内側最下部（当該傾き反射平面の基本単位あたり一個の内側最下点），
６ｅは板状基部５ａの外辺５ｃと傾き反射平面６とのいわば交点に相当する、当該傾き反射平面の外側最下部（当該傾き反射平面の基本単位あたり二個の外側最下点），
をそれぞれ示している。
【００２０】
また、
７は板状基部５ａの内辺５ｂから外辺５ｃまでの内外方向の全範囲にわたり、ライトシェルフ長手方向の縦断面が、逆Ｖ字状の略二等辺三角形で同一形状からなる長方形屋根タイプの傾き反射平面（反射法面）〔板状基部５ａの上面に形成された光反射部（その２）の基本単位：図４参照〕，
７ａは傾き反射平面７の構成要素であって、板状基部５ａの上面から一方の端部５ｄの方に立ち上がった形の左長方形面，
７ｂは傾き反射平面７の構成要素であって、板状基部５ａの上面から他方の端部５ｅの方に立ち上がった形の右長方形面，
７ｃは左長方形７ａおよび右長方形７ｂに共通する稜線，
７ｄは板状基部５ａの内辺５ｂと傾き反射平面７とのいわば交点に相当する、当該傾き反射平面の内側最下部（当該傾き反射平面の基本単位あたり二個の内側最下点），
７ｅは板状基部５ａの外辺５ｃと傾き反射平面７とのいわば交点に相当する、当該傾き反射平面の外側最下部（当該傾き反射平面の基本単位あたり二個の外側最下点），
をそれぞれ示している。
【００２１】
また、
８はライトシェルフ長手方向の縦断面が円弧状であって、その形状が板状基部５ａの内辺５ｂのいわば点部分から外辺５ｃに向かって順次大きくなる円錐一部周面タイプの傾き反射曲面（反射法面）〔板状基部５ａの上面に形成された光反射部（その３）の基本単位：図５参照〕，
８ａは傾き反射曲面８の構成要素であって、板状基部５ａの上面から一方の端部５ｄの方に立ち上がった形の左円錐一部周面，
８ｂは傾き反射曲面８の構成要素であって、板状基部５ａの上面から他方の端部５ｅの方に立ち上がった形の右円錐一部周面，
８ｃは左円錐一部周面８ａおよび右円錐一部周面８ｂに共通するいわば仮想の傾斜稜線，
８ｄは板状基部５ａの内辺５ｂと傾き反射曲面８（仮想傾斜稜線８ｃ）とのいわば交点に相当する、当該傾き反射曲面の内側最下部（当該傾き反射曲面の基本単位あたり一個の内側最下点），
８ｅは板状基部５ａの外辺５ｃと傾き反射曲面８とのいわば交点に相当する、当該傾き反射曲面の外側最下部（当該傾き反射曲面の基本単位あたり二個の外側最下点），
をそれぞれ示している。
【００２２】
また、
９は板状基部５ａの上面内外方向に形成された複数の反射平板（反射法面）〔板状基部５ａの上面に形成された光反射部（その４）：図６参照〕
９ａは反射平板９の構成要素であって、板状基部５ａの上面長手方向右側の各内外方向線部分から一方の端部５ｄの方に立ち上がった形の計四個の右傾き平面部，
９ｂは反射平板９の構成要素であって、板状基部５ａの上面長手方向左側の各内外方向線部分から他方の端部５ｅの方に立ち上がった形の計四個の左傾き平面部，
９ｃは反射平板９の構成要素であって、板状基部５ａの上面長手方向中間の内外方向線部分から略垂直方向に立ち上がった形の単一起立平面部，
をそれぞれ示している。
【００２３】
また、
１０は側窓上部分２ａから入射する自然光を屋内空間に反射拡散させるため、当該側窓上部分の上端および下端のそれぞれに対応する側窓幅方向両側の側壁屋内部分に、取り付けられた屋内光反射板（屋内光反射部（その１）：図７〜図１０参照），
１０ａは側窓上部分２ａの上端に対応する側壁屋内部分に奥側への昇り傾斜態様で取り付けられた下方反射性状の屋内光反射平板（図７，図８参照），
１０ｂは側窓上部分２ａの下端に対応する側壁屋内部分に奥側への降り傾斜態様で取り付けられた上方反射性状の屋内光反射平板（図７，図８参照），
１０ｃは側窓上部分２ａの上端に対応する側壁屋内部分に奥側への昇り傾斜態様で取り付けられた下方反射性状の屋内単曲折光反射平板（図９(a)参照），
１０ｄは側窓上部分２ａの下端に対応する側壁屋内部分に奥側への降り傾斜態様で取り付けられた上方反射性状の屋内単曲折光反射平板（図９(a)参照），
１０ｅは側窓上部分２ａの上端に対応する側壁屋内部分に奥側への昇り傾斜態様で取り付けられた下方反射性状の屋内二曲折光反射平板（図９(b)参照），
１０ｆは側窓上部分２ａの下端に対応する側壁屋内部分に奥側への降り傾斜態様で取り付けられた上方反射性状の屋内二曲折光反射平板（図９(b)参照），
１０ｇは側窓上部分２ａの上端に対応する側壁屋内部分に奥側への昇り傾斜態様で取り付けられた下方反射性状の屋内光反射曲板（図１０参照），
１０ｈは側窓上部分２ａの下端に対応する側壁屋内部分に奥側への降り傾斜態様で取り付けられた上方反射性状の屋内光反射曲板（図１０参照），
をそれぞれ示している。
【００２４】
また、
１１は側窓上部分２ａから入射する自然光を屋内空間に反射拡散させるため、当該側窓上部分の全体をいわばカバーするかたちで、側窓幅方向両側の側壁屋内部分にネジ止め，リベット止め，ボルト止め，接着剤などの各種固定手段によって取り付けられた屋内ミラー格子（屋内光反射部（その２）：図１１参照），
１１ａは当該屋内ミラー格子の構成要素であって、それぞれ縦横方向に対し略４５度傾斜した片面ミラー，
をそれぞれ示している。
【００２５】
また、
１２はライトシェルフ５や屋内光反射板１０（１０ａ〜１０ｈ）を側壁１に取り付けるための各種形状からなる周知のブラケット，
１３はブラケット１２に対する周知の各種固定ツールの一つとしてのアンカーボルト，
をそれぞれ示している。
【００２６】
また、
Ｌ１０，Ｌ２１〜Ｌ２３，Ｌ３０は、図３の三角錐二側面タイプの傾き反射平面６，図４の長方形屋根タイプの傾き反射平面７および図５の円錐一部周面タイプの傾き反射曲面８それぞれの、ライトシェルフ長手方向の最大長（＝外側最下部６ｅ，６ｅ間などの長さ），
Ｈ１１〜Ｈ１３，Ｈ２０，Ｈ３１〜Ｈ３４は、図３の三角錐二側面タイプの傾き反射平面６，図４の長方形屋根タイプの傾き反射平面７および図５の円錐一部周面タイプの傾き反射曲面８それぞれの、板状基部５ａからの最大高さ（＝傾斜稜線６ｃ，稜線７ｃおよび仮想傾斜稜線８ｃの外端部の高さ），
θ0〜θ4は、図６の反射平板９それぞれの板状基部５ａに対する立ち上がり角度（傾斜鋭角），
をそれぞれ示している。
【００２７】
ここで図３〜図６の、ライトシェルフ５の上面にそれぞれ複数形成された傾き反射平面６，７，傾き反射曲面８および反射平板９からなる光反射部の場合、概略、
(51)光反射部の全体形状が、ライトシェルフ長手方向中央部の傾斜稜線６ｃ，稜線７ｃ，仮想傾斜稜線８ｃおよび単一起立平面部９ｃを含むライトシェルフ垂直面（ライトシェルフ５の上面に対する垂直面）を基準とした、対称形状になっており（図３〜図６参照）、
(52)複数の傾き反射平面６，７のそれぞれ、および複数の傾き反射曲面８のそれぞれが、ライトシェルフ上面に、ライトシェルフ長手方向中央部分から板状基部５ａの端部５ｄ，５ｅの方に向かって順次大きくなる立ち上がり角度（鋭角）で、連続形成されており（図３〜図５参照）、
(53)複数の右傾き平面部９ａのそれぞれ、および複数の左傾き平面部９ｂのそれぞれが、ライトシェルフ上面に、単一起立平面部９ｃから板状基部５ａの端部５ｄ，５ｅの方に向かって順次小さくなる立ち上がり角度（鋭角）で、いわば間歇的に形成されている（図６参照）。
【００２８】
傾き反射平面６，７，傾き反射曲面８および反射平板９それぞれのライトシェルフ長手方向の最大長やライトシェルフ上面からの最大高さの大小関係は次のように設定されている。
【００２９】
図３(a)，(c)，図４(a)，(c)および図５(a)，(c)の各ライトシェルフ５における五個または七個の傾き反射平面６，７および傾き反射曲面８の場合、
(61)それぞれのライトシェルフ長手方向の最大長Ｌ１０，Ｌ３０は、個々の当該傾き反射平面，当該傾き反射曲面ごとの一定値に設定され、
(62)それぞれのライトシェルフ上面から傾斜稜線６ｃ，稜線７ｃおよび仮想傾斜稜線８ｃの外端部分までの高さ（Ｈ１１〜Ｈ１３，Ｈ３１〜Ｈ３４）は、ライトシェルフ長手方向中央の傾き反射平面および傾き反射曲面が最小となって板状基部５ａの端部５ｄ，５ｅの方ほど大きく、例えば「Ｈ１１＜Ｈ１２＜Ｈ１３」の関係に設定されている。
【００３０】
図３(b)，図４(b)および図５(b)の各ライトシェルフ５における五個の傾き反射平面６，７および傾き反射曲面８の場合、
(71)それぞれのライトシェルフ上面から傾斜稜線６ｃ，稜線７ｃおよび仮想傾斜稜線８ｃの外端部分までの高さＨ２０は、個々の当該傾き反射平面，当該傾き反射曲面ごとの一定値に設定され、
(72)それぞれのライトシェルフ長手方向の最大長（Ｌ２１〜Ｌ２３）は、その中央の傾き反射平面および傾き反射曲面が最大となって板状基部５ａの端部５ｄ，５ｅの方ほど小さく、例えば「Ｌ２１＞Ｌ２２＞Ｌ２３」の関係に設定されている。
【００３１】
図６のライトシェルフ５における複数の反射平板９はそれぞれの板状基部５ａに対する傾斜鋭角が「θ0＞θ1＞θ2＞θ3＞θ4」の大小関係で設定されている。
【００３２】
また、図６の隣同士の右傾き平面部９ａの立ち上がり部分それぞれの間隔および隣同士の左傾き平面部９ｂの立ち上がり部分それぞれの第一の間隔はすべて同一であり、反射平板それぞれの高さも同一である。なお、単一起立平面部９ｃの立ち上がり部分と、その両隣の右傾き平面部９ａおよび左傾き平面部９ｂそれぞれの立ち上がり部分との第二の間隔は第一の間隔よりも短く設定されている。
【００３３】
このような各種構造の光反射部を上面に備えたライトシェルフ５の基本的特徴は、
(81)板状基部５ａの上面から、異なる角度で、当該板状基部の一方の端部５ｄの方に立ち上がる複数の反射法面（左三角形面６ａ，左長方形面７ａ，左円錐一部周面８ａ，右傾き平面部９ａ）を備え、
(82)また、板状基部５ａの上面から、異なる角度で、当該板状基部の他方の端部５ｅの方に立ち上がる複数の反射法面（右三角形面６ｂ，右長方形面７ｂ，右円錐一部周面８ｂ，左傾き平面部９ｂ）を備えている、
ことである。
【００３４】
これら立ち上がり角度の異なる複数の反射法面を設けることにより、ライトシェルフ５の上面に入射して反射する自然光は側窓上部分２ａから屋内の奥方向へ、また上下左右方向へと進み、屋内空間域全体への効率的な自然光拡散が可能となる。
【００３５】
図１および図２は、図３(a)の三角錐二側面タイプの傾き反射平面６からなるライトシェルフ５を側壁１の屋外部分に略水平状態で取り付け、屋内光反射板１０を用いない場合を示している。
【００３６】
この場合、上述のように左三角形面６ａおよび右三角形面６ｂで反射された自然光が側窓上部分２ａから屋内空間域へと入射する。なお、板状基部５ａの上面自体（傾き反射平面６が形成されていないいわば露出上面部分）で反射して屋内へ入射する自然光もある。
【００３７】
この左三角形面６ａおよび右三角形面６ｂはともに板状基部５ａの外側から内側への下り傾斜、すなわち側窓２に遠い方から近い方への下り傾斜となっている。
【００３８】
そのため、大きな仰角方向からの自然光も左三角形面６ａや右三角形面６ｂで反射して屋内空間域へと入射しえる。
【００３９】
図７〜図１０は、図３(a)の三角錐二側面タイプの傾き反射平面６からなるライトシェルフ５を、側窓２に近いほど下側となる傾斜状態で側壁１の屋外部分に取り付け、かつ、各種形状の屋内光反射板１０を用いる場合を示している。
【００４０】
ここで、上記〔００３６〕〜〔００３８〕と同様のことがいえるのは勿論であり、さらにはライトシェルフ５自体の内外方向への傾斜（内側への下り傾斜）にともない、図１，図２の場合よりも大きな仰角方向からの自然光が屋内空間域へと入射しえる。
【００４１】
図７〜図１０の屋内光反射板１０の上側要素である、屋内光反射平板１０ａ，屋内単曲折光反射平板１０ｃ，屋内二曲折光反射平板１０ｅおよび屋内光反射曲板１０ｇはそれぞれ、ライトシェルフ５で反射した自然光を屋内空間域の下方奥へと導いている。
【００４２】
また、屋内光反射板１０の下側要素である、屋内光反射平板１０ｂ，屋内単曲折光反射平板１０ｄ，屋内二曲折光反射平板１０ｆおよび屋内光反射曲板１０ｈはそれぞれ、側窓上部分２ａから入射する直接自然光や、屋内光反射板１０の上側要素からの反射自然光などを屋内空間域の上方奥へと導いている。
【００４３】
このように、屋内光反射平板１０ｂ，屋内単曲折光反射平板１０ｄ，屋内二曲折光反射平板１０ｆおよび屋内光反射曲板１０ｈは、側窓上部分２ａから入射する下方への直接自然光が屋内下方向に直接導かれるのを阻止している。これにより上記(33)のグレア発生の防止および夏季の空調負荷増加の抑止を図ることができる。
【００４４】
ここで、屋内光反射平板１０ａおよび屋内光反射平板１０ｂ以外のこれら上側要素および下側要素（図９および図１０参照）はそれぞれ、側窓２から離れた奥端部側の対水平面傾斜角度（屋内光反射曲板１０ｇ，１０ｈについてはそれぞれの対向面側の接線角度）が側窓近くよりも大きく設定されている。
【００４５】
このような図９および図１０の屋内光反射板１０における傾斜角度の拡大化により、屋内空間域奥側への自然光反射が効率的に行われる。
【００４６】
なお、屋内光反射板１０の下側要素それぞれの少なくとも側壁側の傾斜開始部分はライトシェルフ５との同一傾斜状態や近似傾斜状態に設定されている。
【００４７】
図１１は、図７〜図１０の屋内光反射板１０に代えて側窓上部分２ａの全体に相当する屋内部分にミラー格子１１を取り付けた場合を示している。
【００４８】
ここで、屋外の側窓上部分２ａへ直接入射する自然光および、ライトシェルフ５の三角錐二側面タイプの傾き反射平面６およびそれ以外の上面部分で反射して入射する自然光はそれぞれ、屋内ミラー格子１１の片面ミラー１１ａの作用により屋内空間域の広範囲にわたって拡散する。
【００４９】
片面ミラー１１ａは、上側が鏡面で下側が白色面のものを用いて、当該白色面で反射して屋内の下側に拡散する自然光を減衰均一化してまぶしさを低減している。
【００５０】
また、屋内ミラー格子１１を用いることにより、その片面ミラー１１ａの作用に基づく模様投影も可能となる。
【００５１】
図１２および図１３は、図３(a)の三角錐二側面タイプの傾き反射平面６からなるライトシェルフ５を、側窓２の横側に相当する側壁１の屋内部分に傾斜状態で取り付けた場合を示している。
【００５２】
なお、このライトシェルフ５の傾斜状態は、
(91)傾き反射平面６の内側最下部６ｄが側窓２から遠くて、外側最下部６ｅの方が側窓２に近く、
(92)ライトシェルフ５が、側窓２に近い方から遠い方（屋内奥側）への下り傾斜に設定される、
かたちになっている。
【００５３】
すなわち、図７の屋内への自然光導入構造において、屋内光反射平板１０ａ，１０ｂをそれぞれ捨象し、ライトシェルフ５のみをそのまま側窓２の屋内側にいわばスライドさせた形になっている。
【００５４】
側窓上部分２ａからの入射自然光は、屋内のライトシェルフ５の傾き反射平面６およびそれ以外のライトシェルフ上面で反射して、奥側などへ拡散する。
【００５５】
このとき、ライトシェルフ５は、側窓上部分２ａから入射する下方への直接自然光が屋内下方向に直接導かれるのを阻止する。これにより上記(33)のグレア発生の防止および夏季の空調負荷増加の抑止を図ることができる。
【００５６】
図１４および図１５は、それぞれ九個の三角錐二側面タイプの傾き反射平面６からなる三個のライトシェルフ５'を、側窓２の横側に相当する側壁１の屋内部分の異なる上下位置に略水平状態で取り付けた場合を示している。三個のライトシェルフ５'の全体は上下三段に配設されている。
【００５７】
このライトシェルフ５'はそれぞれ、
(101)傾き反射平面６がライトシェルフ上面に、連続設定されているのではなく、いわば飛び飛びに設けられており、
(102)ライトシェルフ自体の内外方向長さ（幅）が、図３(a)などのライトシェルフ５の内外方向長さよりも小さい、
かたちになっている。
【００５８】
このように図１４，図１５の屋内への自然光導入構造の場合、上下三段からなる複数のライトシェルフ５'を用いているため、当該ライトシェルフの幅を狭く設定しているにもかかわらず、側窓上部分２ａの上側域から下方への入射自然光が屋内下方空間域へ進むのを効率的に阻止して、天井部分３の方に反射させることができる。
【００５９】
図１４，図１５のように多段のライトシェルフ５'を用いることによる最大の利点はライトシェルフの幅を短くできることである。
【００６０】
すなわち、側窓上部分２ａの上側域から下方への入射自然光に対して、中段および上段のライトシェルフ５'を捨象した上で最下段のライトシェルフ５'の幅を屋内奥の方へ長くした場合と同様の、反射作用を呈するといえる。
【００６１】
以上の傾き反射平面６，７，傾き反射曲面８それぞれの最大長，最大高さ、および反射平板９の立ち上がり角度などの、試作品における単なる一例は、
Ｌ１０：350mm
Ｌ２１：500mm
Ｌ２２：375mm
Ｌ２３：250mm
Ｌ３０：250mm
Ｈ１１：25mm
Ｈ１２：50mm
Ｈ１３：80mm
Ｈ２０：80mm
Ｈ３１：20mm
Ｈ３２：40mm
Ｈ３３：60mm
Ｈ３４：80mm
θ0：90度
θ1：50度
θ2：40度
θ3：30度
θ4：20度
である。
【００６２】
また、試作品における反射平板９の設置状況の単なる一例は、
高さ：60mm
隣同士の右傾き平面部９ａおよび隣同士の左傾き平面部９ｂそれぞれの立ち上がり部分の間隔：140mm
単一起立平面部９ｃとその両隣の右傾き平面部９ａ，左傾き平面部９ｂとの立ち上がり部分の間隔：100mm
である。
【００６３】
また、試作品におけるライトシェルフ自体の大きさ，設置状況などの単なる一例は、
図１〜図１１のライトシェルフ５の幅：70cm
図１２，図１３のライトシェルフ５の幅：50cm
図１４，図１５のライトシェルフ５'の幅：10cm
図１〜図１５のライトシェルフ５，５'の縦方向（長手方向）の長さ：210cm
図７〜図１３のライトシェルフ５の水平面に対する傾き（鋭角）：20度
である。
【００６４】
なお、図１４および図１５の三角錐二側面タイプの傾き反射平面６の形状は、図３で示した傾き反射平面の略相似形になっている。相似比は、ライトシェルフ５の幅とライトシェルフ５'の幅との比率である。
【００６５】
図１〜図１５の、ライトシェルフ５，５'の板状基部５ａおよび屋内光反射板１０はそれぞれ、例えばアルミ板，アルミ反射板，アルミハニカムコア，アルミハニカムパネル，反射膜付樹脂板などからなっている。
【００６６】
その加工に際しては、例えばアルミハニカムコアの上面にアルミ反射板を接着し、当該アルミハニカムコアの側面および下面にアルミ板を接着する。
【００６７】
なお、ライトシェルフ５，５'の板状基部５ａとして単板を用いる場合もある。
【００６８】
傾き反射平面６，７，傾き反射曲面８および反射平板９はそれぞれ、例えば薄板状のアルミ反射板からなっている。
【００６９】
傾き反射平面６，７および傾き反射曲面８の加工に際しては、例えばアルミ反射板を折り曲げて形成した傾き反射平面および傾き反射曲面の基本単位を、板状基部５ａに、連続的（図３〜図５参照）または飛び飛び（図１４参照）の形で接着する。
【００７０】
なお、図４の五個または七個の基本単位（傾き反射平面７）の全体を一体物として加工し、この一体物を板状基部５ａに接着してもよい。
【００７１】
図１１の屋内ミラー格子１１は、切り込みを入れて格子に組んだアルミ反射板を、アルミ板の枠に接着したものである。
【００７２】
本発明が図示の実施形態に限定されないことは勿論であり例えば、
(111)ライトシェルフ５，５'，傾き反射平面６，７，傾き反射曲面８，反射平板９および屋内光反射板１０の反射部分を白色面とする、
(112)図示の傾斜設置のライトシェルフ５を水平設置する、
(113)図示の水平設置のライトシェルフ５，５'を図７〜図１３のように傾斜設置する、
(114)ライトシェルフ５'の傾き反射平面６の代わりに、傾き反射平面７，傾き反射曲面８，反射平板９の形状のものを用いる、
(115)傾き反射平面６，７および傾き反射曲面８として、その縦方向断面形状が（図示以外の）逆Ｕ字状，逆Ｖ字状，円弧状，多角形状などの各種任意形状のものを用いる、
(116)傾き反射平面６，７および傾き反射曲面８それぞれの外端側部分とライトシェルフ上面部分との間の開口部を塞ぐ、
(117)図３〜図５の傾き反射平面６，７および傾き反射曲面８をライトシェルフ５の上面に飛び飛びに設ける、
(118)傾き反射平面６，７，傾き反射曲面８および反射平板９を、ライトシェルフ５，５'の幅方向（内外方向）の全体ではなくその一部に設ける、
(119)傾き反射平面６，７および傾き反射曲面８を左右非対称形状にする、
(120)傾き反射平面６，７および傾き反射曲面８を光反射部の基本単位とするのではなく、それぞれの構成要素（左三角形面６ａ，右三角形面６ｂ,左長方形面７ａ,右長方形面７ｂ，左円錐一部周面８ａ，右円錐一部周面８ｂ）を任意の順番で、すなわち板状基部５ａからの立ち上がり角度の大小とは無関係に設ける、
(121)複数の反射平板９を、その立ち上がり部分がライトシェルフ５の長手方向と直交以外の角度で交差する斜め方向の状態に、また、当該立ち上がり部分が平行でない状態に設定する、
(122)一個のライトシェルフ５に設けられる傾き反射平面６，７，傾き反射曲面８および反射平板９を図示以外の任意の個数設ける、
(123)ライトシェルフ５'を図示以外の任意の段数設ける、
(124)片面ミラー１１ａの代わりに両面ミラーを用いる、
ようにしてもよい。
【符号の説明】
【００７３】
１：建屋の側壁
２：側窓
２ａ：側窓上部分
３：天井部分
４：床部分
【００７４】
５：ライトシェルフ（図１〜図１３）
５'ライトシェルフ（図１４，図１５）
５ａ：板状基部
５ｂ：上面長手方向の内辺
５ｃ：上面長手方向の外辺
５ｄ：板状基部の一方の端部（右端部）
５ｅ：板状基部の他方の端部（左端部）
【００７５】
６：三角錐二側面タイプの傾き反射平面（反射法面）〔図１〜図３，図７〜図１５〕
６ａ：左三角形面
６ｂ：右三角形面
６ｃ：傾斜稜線
６ｄ：内側最下部
６ｅ：外側最下部
【００７６】
７：長方形屋根タイプの傾き反射平面（反射法面）〔図４〕
７ａ：左長方形面
７ｂ：右長方形面
７ｃ：稜線
７ｄ：内側最下部
７ｅ：外側最下部
【００７７】
８：円錐一部周面タイプの傾き反射曲面（反射法面）〔図５〕
８ａ：左円錐一部周面
８ｂ：右円錐一部周面
８ｃ：仮想の傾斜稜線
８ｄ：内側最下部
【００７８】
９：複数の反射平板（反射法面）〔図６〕
９ａ：右傾き平面部
９ｂ：左傾き平面部
９ｃ：単一起立平面部
【００７９】
１０：屋内光反射板（図７〜図１０）
１０ａ：下方反射性状の屋内光反射平板（図７，図８）
１０ｂ：上方反射性状の屋内光反射平板（図７，図８）
１０ｃ：下方反射性状の屋内単曲折光反射平板（図９(a)）
１０ｄ：上方反射性状の屋内単曲折光反射平板（図９(a)）
１０ｅ：下方反射性状の屋内二曲折光反射平板（図９(b)）
１０ｆ：上方反射性状の屋内二曲折光反射平板（図９(b)）
１０ｇ：下方反射性状の屋内光反射曲板（図１０）
１０ｈ：上方反射性状の屋内光反射曲板（図１０）
【００８０】
１１：屋内ミラー格子（図１１）
１１ａ：片面ミラー
１２：ブラケット
１３：アンカーボルト
【００８１】
Ｌ１０，Ｌ２１〜Ｌ２３，Ｌ３０：
傾き反射平面および傾き反射曲面のライトシェルフ縦方向の最大長（図３〜図５）
Ｈ１１〜Ｈ１３，Ｈ２０，Ｈ３１〜Ｈ３４：
傾き反射平面および傾き反射曲面の板状基部からの最大高さ（図３〜図５）
θ0〜θ4：
反射平板の板状基部に対する立ち上がり角度（図６）
【図１】
2013038013.tif 000003
【図２】
2013038013.tif 000004
【図３】
2013038013.tif 000005
【図４】
2013038013.tif 000006
【図５】
2013038013.tif 000007
【図６】
2013038013.tif 000008
【図７】
2013038013.tif 000009
【図８】
2013038013.tif 000010
【図９】
2013038013.tif 000011
【図１０】
2013038013.tif 000012
【図１１】
2013038013.tif 000013
【図１２】
2013038013.tif 000014
【図１３】
2013038013.tif 000015
【図１４】
2013038013.tif 000016
【図１５】
2013038013.tif 000017